(57)【要約】【課題】型枠に鉄筋組体を設置した後から、鉄筋組体に貫通管を配設することができ、作業効率が向上できる鉄筋コンクリート梁の貫通管およびその施工方法の提供。【解決手段】鉄筋組体Ｔを型枠Ｋ内に組み入れたのち、鉄筋組体Ｔの中に貫通管１を埋設してコンクリート打設することで貫通穴を形成する鉄筋コンクリート梁の貫通管であって、矩形状の弾性平板材を丸めて部分円弧状に成形して開口スリットＲを備えた筒状体１０と、この筒状体１０の両端の周方向に配設され、型枠Ｋに釘止め固定する固定具１３と、筒状体１０の開口スリットＲを構成する互いの係合辺１Ｂ、１Ｃを連結する係合手段とから構成され、筒状対１０は鉄筋組体Ｔの上面の配筋隙間から開口スリットＲを拡開して差込み反転させて、型枠Ｋの内部の所定の位置Ｓに設置固定される。【選択図】図４
2018135684.tif 000002
【特許請求の範囲】
【請求項１】
鉄筋組体を型枠内に組み入れたのち、鉄筋組体の中に貫通管を埋設してコンクリート打設することで貫通穴を形成する鉄筋コンクリート梁の貫通管であって、
矩形状の弾性平板材を丸めて部分円弧状に成形して開口スリットを備えた筒状管で形成したことを特徴とする鉄筋コンクリート梁の貫通管。
【請求項２】
軸方向に所定の長さを有する第１筒状体と、軸方向に所定の長さを有する第２筒状体とを内側端部でスライド可能に連結したことを特徴とする請求項１に記載の鉄筋コンクリート梁の貫通管。
【請求項３】
軸方向に所定の長さを有する第１筒状体と、軸方向に所定の長さを有する第２筒状体と、さらに、軸方向に所定の長さを有する中間筒状体とからなり、この中間筒状体の両端のそれぞれに前記第１筒状体と前記第２筒状体とを連結したことを特徴とする請求項１に記載の鉄筋コンクリート梁の貫通管。
【請求項４】
部分円弧状の前記筒状体は、周方向の一辺に係止部、他辺に前記係止部に係合する係合部を有することを特徴とする請求項１〜３のいずれか１に記載の鉄筋コンクリート梁の貫通管。  
【請求項５】
前記筒状体は、この筒状体の長手方向の一端の周方向に配設され、型枠に釘止め固定する固定具を備えることを特徴とする請求項１〜３のいずれか１に記載の鉄筋コンクリート梁の貫通管。  
【請求項６】
・複数の主筋と、これら主筋と直交に複数の副筋を配筋して鉄筋組体を形成し、
・前記鉄筋組体を型枠の中に設置し、
・前記鉄筋組体内に貫通管を挿入し、所定の位置に前記貫通管を設置固定し、
・前記型枠内にコンクリートを打設し、
・前記コンクリートの凝固後、前記型枠を取り外し、
てなる工程順に施工される鉄筋コンクリート梁の貫通管の施工方法であって、
前記第１筒状体および前記第２筒状体のそれぞれの前記開口スリットを拡開して、前記鉄筋組体の上面の配筋隙間から前記鉄筋組体内に挿入し、前記第１筒状体および前記第２筒状体を連結する貫通管挿入工程と、
前記型枠の所定位置に前記第１筒状体および第２筒状体を対向的に配置し固定する貫通管配置固定工程と、
からなる鉄筋コンクリート梁の貫通管の施工方法。
【請求項７】
・複数の主筋と、これら主筋と直交に複数の副筋を配筋して鉄筋組体を形成し、
・前記鉄筋組体を型枠の中に設置し、
・前記鉄筋組体内に貫通管を挿入し、所定の位置に前記貫通管を設置固定し、
・前記型枠内にコンクリートを打設し、
・前記コンクリートの凝固後、前記型枠を取り外し、
てなる工程順で施工される鉄筋コンクリート梁の貫通管の施工方法であって、
前記貫通管は、軸方向に開口スリットを有する中間筒状体と、この中間筒状体の両端のそれぞれに連結した端管とを有し、
予め組み立てた鉄筋組体を、型枠内に設置する鉄筋配設工程と、
前記端管を前記鉄筋組体の上面の配筋隙間から前記鉄筋組体内に挿入し、前記型枠の所定位置に対向して配置し固定する配置固定工程と、
前記中間筒状体の開口スリットを拡開して、前記鉄筋組体の上面の配筋隙間から前記鉄筋組体内に挿入し、鉄筋組体内に収納した前記中間筒状体の両端を前記端管５、５に連結する貫通管連結工程と、
からなる鉄筋コンクリート梁の貫通管の施工方法。
【発明の詳細な説明】
【技術分野】
【０００１】
本発明は、鉄筋コンクリート製の建造物の梁に貫通穴を形成するため、コンクリート打設時に埋設して使用する貫通管、およびその施工方法に関する。
【背景技術】
【０００２】
図１０に示すように、鉄筋コンクリート製の建造物の床下には、柱Ｐと柱Ｐを連結する鉄筋コンクリート製の梁Ｈが、床Ｆと一体に成形される（特許文献１参照）。そして、この梁Ｈには、電気、ガス、水道などの配線、配管のために、複数の貫通穴Ａが所定の位置に、所定の穴径と間隔にて形成される。この貫通穴Ａは、梁Ｈ、および床Ｆを施工する際の型枠Ｋ（図２参照）内の所定位置に設置される貫通管１を埋設して形成される。
【０００３】
鉄筋コンクリート製の梁Ｈの施工、および貫通管１の設置作業は、次のような手順で実施される。
（１）型枠Ｋの真上で鉄筋を組み立てて梁の鉄筋組体Ｔを形成する（図１２（ａ））。
（２）鉄筋組体Ｔの側面の所定位置から貫通管１を挿入し仮設置する（図１２（ｂ））。
（３）鉄筋組体Ｔを降下させ、型枠Ｋ内の設定位置に落し込む（図１３（ｃ））。
（４）貫通管１の向きを直交方向に直し、両端を型枠Ｋの内壁の所定位置に釘止め固定する（図１３（ｄ））。
（５）型枠Ｋ内にコンクリートＣを打設し（図１４（ｅ））、凝固後、型枠Ｋを取り外す（図１４（ｆ））。
【０００４】
鉄筋組体Ｔは、図１２に示すように、梁Ｈの長手方向に、かつ、梁断面の上下面に配筋される主筋１４と、主筋群の外周を囲む副筋１５とからなる。主筋１４は、所定数（図では上側４本、下側４本）が梁Ｈの長手方向に所定の間隔で配される。副筋１５は、両上端が内側にフック状に曲げられたＵ字形のスターラップ筋１６と、両端が下側に曲げられたＩ字形の幅止め筋１７とからなる。これら主筋１４、副筋１５の配筋ピッチは、梁の厚みや強度要求に応じて決められる。
【０００５】
スターラップ筋１６は、フック状部が上側かつ外側の主筋１４、１４に引っ掛けて吊され、主筋群の側面および底面を囲み、主筋１４に結束線（番線）で締結される。幅止め筋は、上側主筋群の上面の主筋１４にスターラップ筋１６と同一の間隔で上側主筋１４と直交的に配され、主筋１４に番線で締結される。
【０００６】
従来の貫通管１００の体格は、鉄筋組体Ｔの上側主筋１４の隙間、または鉄筋組体Ｔと型枠Ｋとの隙間（かぶりと呼ぶこともある）より大きいので、鉄筋組体Ｔの外部から内部に貫通管１００を挿入、設置することは困難である。従って、貫通管１００が所定の位置に設置され、型枠Ｋに釘止め固定するのに貫通管１００が配筋と干渉しないよう鉄筋組体Ｔの側面のスターラップ筋１６の配筋間隔を拡げるか、あるいは２、３本のスターラップ筋１６を取り除いて設けた開口部Ｑがあらかじめ形成されている。
【０００７】
この側面に形成された開口部Ｑは、鉄筋組体Ｔを型枠Ｋ内に落し込む前であれば貫通管１００を挿入するための開口部Ｑとして利用可能であり、従来の貫通管１００の挿入作業は、鉄筋組体Ｔの側面の開口部Ｑから内部に挿入して仮配置することが行われていた。そして、この挿入の開口部Ｑの強度低下、およびコンクリートＣのひび割れを防止するために環状の補強筋１８をスターラップ筋１６の内側に配置する施工が行われていた。
【０００８】
このような施工法の鉄筋組体Ｔの中に挿入する従来の貫通管１００は、一本の円筒管、あるいは二本の円筒管を互いに差し込んだ二重円筒管が利用されていた。図１１に示すように、薄肉の鉄管１１０と鉄管１２０とからなり、両者は、内側端部が同軸的にスライド可能に連結されている。そして、両者のそれぞれの外側端部には、型枠Ｋに釘止め固定するための釘止め固定具１３が周方向に９０度間隔で接合されている。
【０００９】
従来の施工方法では、このような構成の貫通管１００を鉄筋組体Ｔ内へ側面の開口部Ｑから直交方向に挿入し、その後、向きを長手方向に変えて仮配置する。そして、仮配置した貫通管１００とともに鉄筋組体Ｔを型枠Ｋ内に落し込む。落し込み後は、鉄筋組体Ｔの側面の開口部Ｑは型枠Ｋで塞がれるので、仮配置された貫通管１００の向きを直交方向に直しながら墨入れされた所定の位置Ｓに合わせて型枠Ｋに釘止め固定する。このとき、作業は上面の配筋隙間から両手を差し込み、狭いスペースの中で金槌にて釘止め固定するのが一般的であった。
【００１０】
この従来の施工法では、現場作業を行う上で大きな問題が２つあった。
ひとつは、鉄筋組体を作る作業と、作って後、それを型枠内に落し込む作業は配筋業者の担当であり、また、鉄筋組体を落し込む前に貫通管を内部に挿入し、落し込まれて後、所定の位置に配設して釘止め固定するのは配管業者の担当であった。つまり、担当する作業が互いに分断し合う分担となっており一連の連続した作業として実施できない。このため、日程通りに作業が進まない場合に、現場に出向いて前工程が終了するのを待機して見守る必要がある。待機してもその日に担当の作業が実施できればまだ良いが、翌日に作業が持ち越されることもあり、大きなムダ時間が生じてしまうことになる。
【００１１】
もうひとつは、鉄筋組体への貫通管の挿入タイミングの問題である。貫通管の挿入後に鉄筋組体を型枠に落し込む作業は、仮配置された貫通管が振動や傾きによってズレ出し、ズレが生じたまま落し込まれて貫通管が変形したり損傷を受けたりして、正常な貫通穴ができなくなる危険性が高い、という問題がある。これを鉄筋組体の落し込み後に貫通管を挿入し、鉄筋組体の中に収納するようすれば危険性は大幅に下げることが可能である。
これら問題はともに、貫通管の作業の手順の問題であり、作業効率が極めて低いという問題になっている。
【先行技術文献】
【特許文献】
【００１２】
【特許文献１】特許第３１４６９２３号公報
【発明の概要】
【発明が解決しようとする課題】
【００１３】
この発明の目的は、鉄筋組体を型枠内に設置した後、貫通管を鉄筋組体内に設置することが簡単、かつ確実にでき、作業効率が向上できる鉄筋コンクリート梁の貫通管およびその施工方法の提供にある。
【課題を解決するための手段】
【００１４】
（請求項１について）
請求項１に記載の発明では、貫通管は、軸方向の開口スリットを有する筒状体で形成されている。この筒状体は、矩形状の弾性板材を部分円弧状に丸めて成形したもので、円弧の一端と他端との間に重ならない隙間、つまり開口スリットが形成される。この筒状体を外側から押圧すれば円弧は縮径し、逆に内側から押し拡げれば拡径して開口スリットが拡開する。この構成により、筒状体の開口スリットを拡開して、鉄筋組体の主筋の隙間または鉄筋組体と型枠との隙間から鉄筋組体内に筒状体を挿入することが簡単にできる。
【００１５】
（請求項２について）
請求項２に記載の発明では、貫通管は、軸方向に所定の長さを有する第１筒状体と、軸方向に所定の長さを有する第２筒状体とを内側端部でスライド可能に連結した構造を有している。
これにより、第１筒状体と第２筒状体とのスライド量を多くすれば、二重構造の筒状体の軸方向長さは小さくでき、鉄筋組体の中で直交方向に向きを変える転向や取り扱いが楽にできる。
【００１６】
（請求項３について）
請求項３に記載の発明では、軸方向に所定の長さを有する第１筒状体と、軸方向に所定の長さを有する第２筒状体と、さらに、軸方向に所定の長さを有する中間筒状体とからなり、この中間筒状体の両端のそれぞれに第１筒状体と第２筒状体とを連結した構造を有している。
【００１７】
これにより、第１筒状体と第２筒状体の軸方向の長さ（厚みと呼ぶこともある）を、例えば、主筋の配筋間隔より小さくしておけば、鉄筋組体の主筋の隙間または鉄筋組体と型枠との隙間から鉄筋組体内に筒状体を挿入することが簡単にできる。仮に、筒状体の軸方向の長さが大きくても、筒状体の開口スリットを拡開して隙間から差し込み、反転させて挿入することが簡単にできる。他方、中間筒状体も同様に、開口スリットを拡開して隙間から差し込み、反転させて挿入することが簡単にできる。
【００１８】
また、それぞれの筒状体の挿入後、互いの連結組立てに際しても、開口スリットを具備していることからこの開口スリットを拡開しながら第１筒状体と第２筒状体の外側から被せるように嵌め込むことができ、筒状体が従来例のように円筒体である場合の軸方向嵌め込みに比較すると、断然簡単に連結できる。
【００１９】
また、型枠の内壁に第１筒状体と第２筒状体を釘止め固定するのに、それぞれの軸方向の長さが小さい状態で、つまりそれぞれ単独にて固定できるので、釘打ち作業が、スペースが広くなったことで、楽に、かつ確実に実施できる。
【００２０】
（請求項４について）
請求項４に記載の発明では、部分円弧状の筒状体は、周方向の一辺に係止部、他辺に係止部に係合する係合部を有している。
これにより、開口スリットを拡開して鉄筋組体内に挿入した各筒状体の開口スリットを閉じて所定の直径に仕上げることが簡単に、かつ確実にできる。さらに、スライド可能に互いに嵌り合う２つの筒状体の直径差も、係止部と係合部との係合具合、つまり折り曲げ高さや角度、および力加減で自在に調整が可能である。この作業が機械や道具を使用せずに、両手でいとも簡単にできる特徴がある。
【００２１】
（請求項５について）
請求項５に記載の発明では、筒状体は、この筒状体の長手方向の一端の周方向に配設され、型枠に釘止め固定する固定具を備えている。
これにより、各筒状体を型枠の所定の位置に固定する際に、金槌が配筋と干渉せずに打ち込める垂直方向と水平方向の３本を予め位置決めさせることができる。また、筒状体を所定の直径になすのに、係合部と係止部との係合具合の調整で決定するのではなく、型枠の所定の位置の中心と外径形状の墨入れに合わせて、３本の釘止めで一義的に決定できる。つまり、筒状体の径は、３本の釘で任意に、かつ簡単に実現できる。さらに、釘止めは、最終工程の型枠はずしにおいても、外側からの除去作業が簡単にできる特徴がある。
【００２２】
（請求項６について）
請求項６に記載の貫通管の施工はつぎの手順でなされる。
・複数の主筋と、これら主筋と直交に複数の副筋を配筋して鉄筋組体を形成し、
・鉄筋組体を型枠の中に設置し、
・鉄筋組体内に貫通管を挿入し、所定の位置に貫通管を設置固定し、
・型枠内にコンクリートを打設し、
・コンクリートの凝固後、型枠を取り外し、
てなる工程順に施工される鉄筋コンクリート梁の貫通管の施工方法であって、第１筒状体および第２筒状体のそれぞれの開口スリットを拡開して、鉄筋組体の上面の配筋隙間から鉄筋組体内に挿入し、第１筒状体および第２筒状体を連結する貫通管挿入工程と、型枠の所定位置に第１筒状体および第２筒状体を対向的に配置し固定する貫通管配置固定工程とからなる。
【００２３】
これにより、鉄筋組体を型枠の中に設置した後であっても、簡単に筒状体を鉄筋組体の中に挿入でき、型枠の所定の位置に筒状体を設置固定するのも、筒状体の全長が調整可能であるため簡単に実施できる。
【００２４】
（請求項７について）
請求項７の貫通管の施工はつぎの手順でなされる。
・複数の主筋と、これら主筋と直交に複数の副筋を配筋して鉄筋組体を形成し、
・鉄筋組体を型枠の中に設置し、
・鉄筋組体内に貫通管を挿入し、所定の位置に貫通管を設置固定し、
・型枠内にコンクリートを打設し、
・コンクリートの凝固後、型枠を取り外し、
てなる工程順で施工される鉄筋コンクリート梁の貫通管の施工方法であって、貫通管は、軸方向に開口スリットを有する中間筒状体と、この中間筒状体の両端のそれぞれに連結した端管とを有し、予め組み立てた鉄筋組体を、型枠内に設置する鉄筋配設工程と、端管を鉄筋組体の上面の配筋隙間から鉄筋組体内に挿入し、型枠の所定位置に対向して配置し固定する配置固定工程と、中間筒状体の開口スリットを拡開して、鉄筋組体の上面の配筋隙間から鉄筋組体内に挿入し、鉄筋組体内に収納した中間筒状体の両端を前記端管に連結する貫通管連結工程とからなる。
【００２５】
これにより、鉄筋組体を型枠の中に設置した後であっても、簡単に筒状体を鉄筋組体の中に挿入でき、型枠の所定の位置に筒状体を設置固定するのも、まず、長さの小さい端管を型枠の両側に釘止め固定し、その２つの固定した端管を基準に中間筒状体を外側から開口スリットを拡開して押し込むだけの作業で簡単に組み付けできる。押し込めば弾性復元力で径が締まるが、所定の径にするには外部から押し込めばよい。
【００２６】
このとき、端管の径に密着するまで押せば所定の有効径が一義的に設定される。そして、弾性復元力で径が拡がらないように、外周を粘着テープ等で固定し、必要があればさらに両端をタップねじで締結する。この作業も、簡単に実施できる。
【図面の簡単な説明】
【００２７】
【図１】貫通管の作成過程を示す斜視図である（実施例１）。
【図２】貫通管を鉄筋組体内に挿入する貫通管挿入工程を示す斜視図である（実施例１）。
【図３】貫通管の挿入の要領を示す斜視図である（実施例１）。
【図４】二重管方式の貫通管の組立て要領を示す斜視図である（実施例１）。
【図５】貫通管を鉄筋組体内で組み立てる貫通管組立工程を示す斜視図である（実施例１）。
【図６】貫通管を型枠内に設置固定する貫通管設置固定工程を示す斜視図である（実施例１）。
【図７】貫通管の作成過程を示す斜視図である（実施例２）。
【図８】貫通管の作成過程を示す斜視図である（実施例３）。
【図９】貫通管の作成過程を示す斜視図である（実施例４）。
【図１０】鉄筋コンクリート製の建造物の梁、床、柱の構成を示す斜視図である。
【図１１】貫通管の構成を示す斜視図である（従来例）。
【図１２】貫通管の施工工程図であり、（ａ）は配筋工程を、（ｂ）は貫通管挿入工程を示す斜視図である（従来例）。
【図１３】貫通管の施工工程図であり、（ｃ）は鉄筋組体の落し込み工程を、（ｄ）は連通管設置固定工程を示す断面図である（従来例）。
【図１４】貫通管の施工工程図であり、（ｅ）はコンクリート打設工程を、（ｆ）は型枠はずし工程を示す断面図である（従来例）。
【発明を実施するための形態】
【００２８】
鉄筋組体を型枠内に組み入れたのち、鉄筋組体の中に貫通管を埋設してコンクリート打設することで貫通穴を形成する鉄筋コンクリート梁の貫通管、およびその施工方法について、以下実施例で説明する。
【実施例１】
【００２９】
本実施例を図１〜図６とともに説明する。貫通管１は、図１（ａ）に示すように、矩形状でその四隅に所定の幅と深さの切り込みを有する鉄板（弾性板材）１Ａを、図１（ｂ）に示すように、部分円弧を形成するように丸めて成形した筒状体１０からなる。部分円弧を形成することで、円弧の始端および終端との間に、幅方向に繋がる開口スリットＲが形成されている。この開口スリットＲの初期寸法値は任意であり、円弧の外側から力を加えれば円弧が縮径して開口スリットＲは重なり、円弧の内側から力を加えれば円弧が拡径して開口スリットＱは拡がる。そして、力を取り除けば、元の形に戻る弾性復元性を有している。
【００３０】
さらに、貫通管１は、図１（ｃ）に示すように、筒状体１０の軸方向一端には、釘止め固定具１３が３個接合されている。釘止め固定具１３は周知のもので、釘の太さに等しい穴部を形成した板金材で構成され、筒状体１０に、例えば、スポット溶接等で固定されている。
そして、筒状体１０が縮径して開口スリットＲが重なる部位を接合辺１Ｂ、１Ｃと名付けたとき、一方の接合辺１Ｂの両側の係合片１Ｄ、１Ｄと、他方の接合辺１Ｃの両側の係合スリット１Ｅ、１Ｅを係合させることで所定の径を有する貫通管１が形成される。
【００３１】
このとき、係合の組付け手順は以下のように行われる。係合片１Ｄ、１Ｄを略９０度折り曲げておき、係合スリット１Ｅ、１Ｅの中に差し込む。つづいて、さらに略９０度折り曲げると図１（ｄ）に示すように、所定の径の筒状体１０が形成される。この組み付けは筒状体１０が薄板構成であるため手作業でも可能で簡単である。このとき、一回目の略９０度折り曲げを少し緩く、つまり９０度折り曲げの立ち上がり寸法が短くなるよう折り曲げれば、係合後の有効径が少し大きく設定できる。つまり、対をなす二重筒状体の直径差が自在に、かつ簡単に作れる特徴を有している。
【００３２】
次に、上記した筒状体１０および貫通管１の組み立てが型枠Ｋ内に鉄筋組体Ｔを落とし込んだ後に鉄筋組体Ｔ内でなされる組み立て手順を説明する。
貫通管１の体格では、配筋隙間からの一度の挿入は難しく、ために構成部材単位で挿入しておいて、全部揃ったら型枠Ｋ内で組み立てて貫通管１を形成して所定の位置に設置する方法である。
【００３３】
この筒状体１０は、図２に示すように、型枠Ｋ内に設置した鉄筋組体Ｔの上面から挿入できることが特徴であり、予め設定箇所の副筋が取り除かれて形成された側面の開口部Ｑの幅止め筋１７を２，３本ずらして、もしくは取り外して隙間の大きい設定隙間Ｌを作成しておく。そして、この大きな設定隙間Ｌに図示するように、筒状体１０を挿入する。筒状体１０の挿入要領を、図３に基き詳しく説明する。まず、主筋１４、１４の間から、筒状体１０を拡開状態で主筋１４に差し込み（図３（ａ））、そして主筋１４の周りに略１８０度反転させて主筋１４から筒状体１０の開口スリットＲを下方に抜き、鉄筋組体Ｔ内に入れ込む（図３（ｂ））。そして、筒状体１０を鉄筋組体Ｔの底面に落下させ仮置きする（図３（ｃ））。
【００３４】
つづいて、もう一つの対をなす筒状体１０を、同様に、主筋１４に差し込み、そして主筋１４の周りに略１８０度反転させて主筋１４から鉄筋組体Ｔの底面に落下させる。そして、図４に示すように、それぞれの筒状体１０を鉄筋組体Ｔの上面から両手で拾い、まず、一方の筒状体１０の係合部の係合片１Ｄをさらに略９０度折り曲げる（図４（ａ））。その後、他方の筒状体１０の係合部の係合片１Ｄをさらに略９０度折り曲げるのであるが、二重管構成となすために、一方の筒状体１０の上に他方の筒状体１０を被せ、互いにスライド可能な隙間を形成して最後の略９０度折り曲げを実施することでいとも簡単に二重管構成が実現できる（図４（ｂ）、（ｃ））。
【００３５】
図５示すように、二重管構成で組み立てた貫通管１はその中心軸が長手方向に配置されて鉄筋組体Ｔ内に収納される。このような手順は、筒状体１０を、鉄筋組体Ｔを型枠Ｋ内に設置した後であっても、鉄筋組体Ｔ内に簡単に挿入でき、しかも鉄筋組体Ｔ内での二重管の組み立ても簡単に実施できる。
【００３６】
次に、この組み立て方法による二重管はその軸方向が梁の長手方向と一致して配置されているため、図６に示すように、梁Ｈの長手方向に直交する方向に向きを変え（転向）、墨入れされた所定の位置Ｓに中心を合わせ、釘止め固定をする。このとき、二重管構造は互いに奥までスライドすることで全長が縮小することから、転向作業が簡単に、かつ確実に実施できる。
【００３７】
その上で、型枠Ｋに釘止め固定する。釘止め固定は３箇所であり、必要にして十分な数と位置を採用している。従来例のように、複数箇所であったとしても貫通管１の裏側に隠れた釘は、打ち込むことができずムダが生じる。仮に、打つことができたとしても型枠はずし工程で釘抜き作業にムダ時間がかかることになる。
【００３８】
そして、二重管構造の貫通管１が直交方向に配設固定されたのち、組み立ての初期段階にて外された幅寄せ筋１７を等間隔に配筋し直し、番線で締結するとともに、所定の位置Ｓのスターラップ筋１６の周りの補強筋２１も同様に配筋して番線で締結し、正規の配筋に戻しておく。
【実施例２】
【００３９】
実施例１は、２つの筒状体１０を互いに差し込んで組み合わせる二重管構成の貫通管１であったが、本実施例は、３つの筒状体１０を組み合わせる貫通管１であることが特徴である。図７とともに、本実施例を説明する。
【００４０】
貫通管１は、横幅の小さい矩形状の鉄板（弾性板材）を部分円弧を形成するように丸めて成形した短尺筒状体２の２個使用と、同様に、横幅の大きい矩形状の鉄板（弾性板材）を部分円弧を形成するように丸めて成形した長尺筒状体３の１個使用の計３個の筒状体からなる。
【００４１】
短尺筒状体２と長尺筒状体３は、それぞれ、周方向の一方の接合辺２Ｂに係合片２Ｄ、２Ｄおよび３Ｄ、３Ｄを有し、他方の接合辺２Ｃ、３Ｃに、係合スリット２Ｅ、２Ｅおよび３Ｅ、３Ｅを有する。係合片２Ｄと係合スリット２Ｅ、および係合片３Ｄと係合スリット３Ｅとを係合させることにより、所定の径を有する短尺筒状体２、長尺筒状体３を形成する。
【００４２】
短尺筒状体２の一端には、実施例１と同様な釘止め固定具１３が周方向に３箇所、９０度間隔で接合されている。ただし、長尺筒状体３には、この釘止め固定具１３は接合していない。
【００４３】
次に、この２個の短尺筒状体２と１個の長尺筒状体３から１個の貫通管１に組立てる組立て手順を説明する。
２個の短尺筒状体２，２は、型枠Ｋ内に設置した鉄筋組体Ｔの配筋隙間より厚み（幅）が小さく仕立ててあり、短尺筒状体２が係合片２Ｄと係合スリット２Ｅとを係合させた後の円筒状の構造であっても、容易に配筋隙間やかぶりから挿入でき、鉄筋組体Ｔの底面に落下させることができる。
【００４４】
また、仮に、鉄筋組体Ｔの配筋隙間より厚み（幅）が大きく、配筋隙間から挿入できない場合は、短尺筒状体２は、係合片２Ｄと係合スリット２Ｅとを係合させる前に、実施例１と同様に、短尺筒状体２の開口スリットＲを拡張した状態で主筋１４と主筋１４との間の隙間に差し込み、そして１８０度反転させて鉄筋組体Ｔの底面に落下させることができる。
【００４５】
他方、長尺筒状体３は軸方向の寸法、つまり長さが長いので、配筋隙間からの挿入はできず、従って、鉄筋組体Ｔの上面の幅止め筋の２、３本をずらしたり、あるいは取り除いたりして配筋隙間を広げておいて、この位置より長尺筒状体３の挿入を実施例１と同様に、行うことで鉄筋組体Ｔの底面に落下させることができる。
【００４６】
このように、挿入工程は実施例１と同様に、簡単にしかも迅速に施工できる。つづいて設置固定工程を説明する。
まず、鉄筋組体Ｔの底面に落下した短尺筒状体２を上面から両手で拾って、型枠Ｋの墨入れされた所定の位置Ｓに中心を合わせ釘止め固定する。このとき、挿入前から係合片２Ｄと係合スリット２Ｅとを係合させた円筒状の短尺筒状体２であれば、そのまま３箇所の釘止め固定具１３に釘打ちすればよい。
【００４７】
また、互いに係合せずに落下させた短尺筒状体２であれば、釘止め固定する前に、短尺筒状体２を互いに係合させて後、同じように釘止め固定してもよい。あるいは、短尺筒状体２を互いに係合させずに弾性復元力を外側から押し込むように押さえ、所定の位置Ｓにその中心と外形寸法とを一致させてから釘止め固定することもできる。
【００４８】
この２つの短尺筒状体２をいずれかの手順で型枠の両側面のそれぞれ所定の位置Ｓに固定したのち、つづいて、長尺筒状体３の嵌入組付け作業がある。鉄筋組体Ｔの底面に落下した長尺筒状体３を上面から両手で拾って、互いの係合辺１０Ｂ、１０Ｃが拡張するように内側から力をかけて拡げ、適度に拡がったならばそのまま固定された短尺筒状体２に押し込む。そして、手を離して力を緩めると弾性復元力で元の形状に戻る。
【００４９】
次に、両手で外側から力をかけ押し込むと、長尺筒状体３の互いの係合辺３Ｂ、３Ｃが接触し、それぞれの係合片３Ｄ、および係合スリット３Ｅを係合させ、さらに係合片３Ｄを略９０度折り曲げることで短尺筒状体２に確実に嵌め込んだ貫通管１が作成できる。
【実施例３】
【００５０】
本実施例は、２個の短尺筒状体４，４と２個の長尺筒状体５，５との計４個の筒状体を組み合わせた貫通管１であることが特徴である。図８とともに、本実施例を説明する。
【００５１】
貫通管１は、横幅の小さい矩形状の鉄板（弾性板材）を部分円弧を形成するように丸めて成形した２個の短尺筒状体４，４と、同様に、横幅の大きい矩形状の鉄板（弾性板材）を部分円弧を形成するように丸めて成形した２個の長尺筒状体５，５の計４個の筒状体からなる。
【００５２】
短尺筒状体４，４は、実施例２と同じ形状で組立作業も同じである。他方、長尺筒状体５，５は、実施例２で説明した長尺筒状体３を長手方向（軸方向）に２分割して形成した筒状体と見做すことができる。つまり、図８（ａ）に示すように、所定の横幅を有する矩形状の鉄板（弾性板材）を部分円弧を形成するように丸めて成形した長尺筒状体５，５で、図示するように、開口スリットＲが略直径以上に開き、逆に、円弧状の高さ（又は幅）は直径の半分以下と薄くなる。
【００５３】
そして、接合辺５Ｂ、５Ｃのそれぞれ両端には、係合可能な係合片５Ｄと係合スリット５Ｅが形成されている（実施例１、２と同様）。次に、この２個の筒状体４、４と２個の筒状体５、５から１個の貫通管１に組立てる組立て手順を説明する。
【００５４】
２個の短尺筒状体４，４は、実施例２で説明したように、短尺筒状体４の幅が小さければそのまま配筋隙間から挿入でき、また、その幅が配筋隙間より大きくても、係合しない状態で挿入することができる。他方、長尺筒状体５もその円弧状の高さ（又は幅）が配筋隙間より小さければ、そのまま配筋隙間から挿入可能であり、その高さが配筋隙間より大きくても、実施例２のように、主筋１４に差し込んで略１８０度反転して底面に落とせばよい。
【００５５】
そして、挿入できた２個の長尺筒状体５，５は、図８（ｂ）に示すように、互いに対向させて係合させる。このとき、既に、型枠Ｋに釘止め固定された短尺筒状体４，４の上から２個の長尺筒状体５，５を被せるように押し付けるとともに係合させて、係合片５Ｄを略９０度さらに折り曲げれば確実な固定が簡単に実現できる。
【実施例４】
【００５６】
本実施例は、２個の短尺筒状体６，６と１個の長尺筒状体７との計３個の筒状体を組み合わせる貫通管１であり、主たる特徴は、２個の短尺筒状体６，６は短尺の円筒管から構成されることである。図９とともに、本実施例を説明する。
【００５７】
図９（ａ）に示すように、２個の短尺筒状体６，６は、同形、同寸法の全く同じものである。構造は、市販の鉄管、または鉄パイプを所定の長さに切断し、その軸方向の一端に市販の釘止め固定具１３を、例えば、溶接接合している。
【００５８】
また、長尺筒状体７は、矩形状でその四隅に切り込みを持たない鉄板（弾性板材）を部分円弧を形成するように丸めて成形した筒状体である。部分円弧を形成することで、円弧の始端および終端との間に、幅方向に繋がる開口スリットＲが形成されている。
【００５９】
次に、形状である短尺筒状体６，６および長尺筒状体７の鉄筋組体Ｔ内への挿入作業について説明する。短尺筒状体６は短尺円筒管であることは前述している。つまり、円筒管の軸方向長さを配筋隙間より小さくすることで簡単に挿入できるようになっている。他方、長尺筒状体７も同様に、円弧状に丸めた両端部の開口スリットＲを設けている。従って、実施例１〜３で示したと同じ要領、つまり主筋１４に差し込み、略１８０度反転することで、鉄筋組体Ｔ内への挿入できる。
【００６０】
そして、次に、貫通管１を設置固定するには、図９（ｂ）に示すように、短尺筒状体６を型枠Ｋに墨入れされた所定の位置Ｓに中心を合わせて釘止めする。そして、長尺筒状体７をこの両短尺筒状体６に被せるように拡げて差し込む。そして、手を離せば長尺筒状体７は元の形状に復元し、復元して後さらに外側から力を加えて短尺筒状体６に嵌め込み（図９（ｃ））、ズレが生じないように粘着テープ２１等で仮止めする。その上で、長尺筒状体７の両端にタップねじ２２で固定する（図９（ｄ））。これで貫通管１が実現できる。
なお、粘着テープ２１での仮止めはなしに、直接、長尺筒状体７の両端にタップねじ２２で固定してもよい。逆に、粘着テープ２１のみの固定であってもよい。
【産業上の利用可能性】
【００６１】
この発明では、貫通管は、軸方向の開口スリットを有する２つの筒状体を対向して連結するか、または、軸方向の開口スリットを有する２つの短尺筒状体と軸方向の長さの長い長尺筒状体を設け、その両端に軸方向の長さの小さい短尺筒状体と連結して形成している。このため、型枠内に鉄筋組体を設置した後であっても、貫通管の挿入と設置固定が簡単、確実、かつ迅速に実施できるので、作業効率が向上し、コストダウンが期待できる。
【符号の説明】
【００６２】
Ｈ              鉄筋コンクリート製の梁
Ｔ              鉄筋組体
Ｋ              型枠
Ｑ              開口部
Ｒ              開口スリット
１              貫通管
・  短尺筒状体
３、５、７      長尺筒状体
１０            筒状体
１４            主筋
１５            副筋
１６            スターラック筋
１７            幅止め筋
１８            補強筋
２１            粘着テープ
２２            タップねじ
【図１】
2018135684.tif 000003
【図２】
2018135684.tif 000004
【図３】
2018135684.tif 000005
【図４】
2018135684.tif 000006
【図５】
2018135684.tif 000007
【図６】
2018135684.tif 000008
【図７】
2018135684.tif 000009
【図８】
2018135684.tif 000010
【図９】
2018135684.tif 000011
【図１０】
2018135684.tif 000012
【図１１】
2018135684.tif 000013
【図１２】
2018135684.tif 000014
【図１３】
2018135684.tif 000015
【図１４】
2018135684.tif 000016
【手続補正書】
【提出日】平成29年7月27日(2017.7.27)
【手続補正１】
【補正対象書類名】明細書
【補正対象項目名】００１４
【補正方法】変更
【補正の内容】
【００１４】
（請求項１について）
請求項１に記載の貫通管は、
・複数の主筋と、これら主筋と直交に複数の副筋を配筋して鉄筋組体を形成する配筋工程と、
・鉄筋組体を型枠の中に設置する鉄筋組体の型枠内落し込み工程と、
・鉄筋組体内に貫通管を挿入する貫通管挿入工程と、
・所定の径の貫通管に組立て嵌合自在に連結する貫通管組立工程と、
・型枠内の所定の位置に貫通管を設置固定する貫通管設置固定工程と、
・型枠内にコンクリートを打設するコンクリート打設工程と、
・前記コンクリートの凝固後、型枠を取り外す型枠はずし工程と、
からなる一連の工程順に施工される鉄筋コンクリート梁の貫通管の施工方法に使用されるものであって、
矩形状の弾性平板材を丸めて部分円弧状に成形して開口スリットを備えた筒状体で形成され、軸方向に所定の長さを有し、型枠に固定可能な一端部を有する第１筒状体と、軸方向に所定の長さを有し、型枠に固定可能な一端部を有する第２筒状体とをそれぞれ他端部で嵌合伸縮自在に連結した構造を有している。
【手続補正２】
【補正対象書類名】明細書
【補正対象項目名】００１５
【補正方法】変更
【補正の内容】
【００１５】
００１５
これにより、まず、鉄筋組体を型枠の中に落し込む鉄筋組体の型枠内落し込み工程が配筋工程に続いて実施できるのは、配筋業者の作業としてやり易く、また、鉄筋組体を型枠の中に落し込み後に貫通管を挿入する貫通管挿入工程と、設置固定する貫通管設置固定工程の順序は配管業者が続けて作業できるため、お互いに作業ロスが省け、効率的である。
【手続補正３】
【補正対象書類名】明細書
【補正対象項目名】００１６
【補正方法】変更
【補正の内容】
【００１６】
また、鉄筋組体を型枠の中に落し込むに際し、従来のような貫通管が傾いたりズレが生じたりすることはあり得ない（貫通管は未挿入）ので、落下して貫通管に変形や損傷が生じる危険性も全くない。従って、正常な貫通穴ができずに再度、貫通穴を作り直すという手直し作業は生じることなく、従来の課題は完全に解消できる。この結果、作業生産性が向上する。
【手続補正４】
【補正対象書類名】明細書
【補正対象項目名】００１７
【補正方法】変更
【補正の内容】
【００１７】
貫通管は、軸方向の開口スリットを有する筒状体で形成されている。この筒状体は、矩形状の弾性平板材を部分円弧状に丸めて成形したもので、円弧の一端と他端との間に重ならない隙間、つまり開口スリットが形成される。この筒状体を外側から押圧すれば円弧は縮径し、逆に内側から押し拡げれば拡径して開口スリットが拡開する。この構成により、筒状体の開口スリットを拡開して、鉄筋組体の配筋隙間の大小に拘わらず、上面から容易に筒状体を鉄筋組体の中に挿入することが簡単にできる。
【手続補正５】
【補正対象書類名】明細書
【補正対象項目名】００１８
【補正方法】変更
【補正の内容】
【００１８】
さらに、貫通管が、部分円弧状に成形して開口スリットを備えた筒状体で形成されているので、鉄筋組体の配筋隙間の大小に拘わらず、上面から容易に筒状体を鉄筋組体の中に挿入できる。そして、挿入して後、筒状体は鉄筋組体の内部で所定の直径の貫通管に仕上げられ、対向して互いに嵌合伸縮自在に組み立てできるので、嵌合伸縮量を多くすれば、二重構造の筒状体の軸方向長さは小さくでき、鉄筋組体の中で直交方向に向きを変える転向や取り扱いが楽にできる。つまり、型枠間の所定の位置に、直交に設置し固定することが非常に簡単、かつ確実に実施でき、作業効率が向上できる。
【手続補正６】
【補正対象書類名】明細書
【補正対象項目名】００１９
【補正方法】変更
【補正の内容】
【００１９】
（請求項２について）
請求項２の貫通管は、
・複数の主筋と、これら主筋と直交に複数の副筋を配筋して鉄筋組体を形成する配筋工程と、
・鉄筋組体を型枠の中に設置する鉄筋組体の型枠内落し込み工程と、
・鉄筋組体内に貫通管を挿入する貫通管挿入工程と、
・所定の径の貫通管に組立て嵌合自在に連結する貫通管組立工程と、
・型枠内の所定の位置に前記貫通管を設置固定する貫通管設置固定工程と、
・型枠内にコンクリートを打設するコンクリート打設工程と、
・コンクリートの凝固後、型枠を取り外す型枠はずし工程と、
からなる一連の工程順に施工される鉄筋コンクリート梁の貫通管の施工方法に使用されるものであって、
貫通管は、矩形状の弾性平板材を丸めて部分円弧状に成形して開口スリットを備えた筒状体で形成され、軸方向に所定の長さを有し、型枠に固定可能な一端部を有する第１筒状体と、軸方向に所定の長さを有し、型枠に固定可能な一端部を有する第２筒状体と、さらに、軸方向に所定の長さを有する中間筒状体とからなり、この中間筒状体の両端のそれぞれと第１筒状体と第２筒状体の他端部とを嵌合自在に連結した構造を有している。
【手続補正７】
【補正対象書類名】明細書
【補正対象項目名】００２０
【補正方法】変更
【補正の内容】
【００２０】
これにより、請求項１と同様に、工程順序を変更したことによる効果、つまり、配筋業者、および配管業者それぞれの作業効率が向上し、また、やり直し作業の解消により作業生産性が向上する。
【手続補正８】
【補正対象書類名】明細書
【補正対象項目名】００２１
【補正方法】変更
【補正の内容】
【００２１】
また、軸方向に所定の長さを有し、型枠に固定可能な一端部を有する第１筒状体と、軸方向に所定の長さを有し、型枠に固定可能な一端部を有する第２筒状体と、さらに、軸方向に所定の長さを有する中間筒状体とからなり、この中間筒状体の両端のそれぞれと第１筒状体と第２筒状体の他端部とを嵌合自在に連結した構造を有している。
【手続補正９】
【補正対象書類名】明細書
【補正対象項目名】００２２
【補正方法】変更
【補正の内容】
【００２２】
よって、第１筒状体と第２筒状体の軸方向の長さを、例えば、主筋の配筋間隔より小さくしておけば、鉄筋組体の主筋の隙間または鉄筋組体と型枠との隙間から鉄筋組体内に筒状体を挿入することが簡単にできる。もっとも、筒状体の軸方向の長さが大きくても、筒状体の開口スリットを拡開して隙間から差し込み、反転させて挿入することが簡単にできる。他方、中間筒状体も同様に、開口スリットを拡開して隙間から差し込み、反転させて挿入することが簡単にできる。
【手続補正１０】
【補正対象書類名】明細書
【補正対象項目名】００２３
【補正方法】変更
【補正の内容】
【００２３】
そして、鉄筋組体の中に簡単に挿入できたそれぞれの筒状体を、型枠の所定の位置に設置固定するのも、まず、長さの小さい第１、第２筒状体を型枠の両側に釘止め固定し、その２つの固定した第１、第２筒状体を基準に中間筒状体を外側から開口スリットを拡開して押し込むだけの作業で簡単に組み付けできる。押し込めば弾性復元力で径が締まるが、所定の径にするには外力を加えればよい。
このとき、第１、第２筒状体の径に密着するまで押せば所定の有効径が一義的に設定される。そして、弾性復元力で径が拡がらないように、外周を粘着テープ等で固定し、必要があればさらに両端をタップねじで締結する。この作業も、簡単に実施できる。
【手続補正１１】
【補正対象書類名】明細書
【補正対象項目名】００２４
【補正方法】変更
【補正の内容】
【００２４】
（請求項３について）
請求項３に記載の発明では、鉄筋組体内に貫通管を挿入する貫通管挿入工程において、軸方向に所定の長さを有するそれぞれの筒状体は、軸方向長さが鉄筋組体の上面の配筋隙間より小さい場合には、配筋隙間からそのまま落とし入れ動作により挿入し、軸方向長さが配筋隙間より大きい場合には、それぞれの筒状体の開口スリットを拡開して、鉄筋組体の上面の配筋隙間から差し込み、つづいて反転し、そして落下させる動作による挿入方法を採用している。
これにより、配筋隙間の大小に拘わらず、また、筒状体の軸方向長さの長短に拘わらず、開口スリットを拡開することで筒状体の配筋組体内への挿入が簡単、かつ確実に実施できる。
【手続補正１２】
【補正対象書類名】明細書
【補正対象項目名】００２５
【補正方法】変更
【補正の内容】
【００２５】
（請求項４について）
請求項４に記載の発明では、  所定の径の貫通管に組立て嵌合自在に連結する貫通管組立工程において、
矩形状の弾性平板材を丸めて部分円弧状に成形して開口スリットを備えた筒状体は、丸めた際に形成した開口スリットの２つの縁辺の一辺に係止部、他辺にこの係止部に係合する係合部を備えており、鉄筋組体内に貫通管を挿入した後、貫通管の係合部を係合して所定の径の貫通管に組立て、その後、それぞれに軸方向に嵌合自在に連結する組立方法を採用している。
【手続補正１３】
【補正対象書類名】明細書
【補正対象項目名】００２６
【補正方法】変更
【補正の内容】
【００２６】
これにより、開口スリットを拡開して鉄筋組体内に挿入した各筒状体の開口スリットを閉じて所定の直径に仕上げることが簡単に、かつ確実にできる。さらに、嵌合自在に互いに嵌り合う２つの筒状体の直径差も、係止部と係合部との係合具合、つまり係合片の折り曲げ高さや角度、および力加減で自在に調整が可能である。この作業が機械や道具を使用せずに、両手で簡単にできる特徴がある。
【手続補正１４】
【補正対象書類名】明細書
【補正対象項目名】００４１
【補正方法】変更
【補正の内容】
【００４１】
短尺筒状体２と長尺筒状体３は、それぞれ、周方向の一方の接合辺２Ｂ、３Ｂに係合片２Ｄ、２Ｄおよび３Ｄ、３Ｄを有し、他方の接合辺２Ｃ、３Ｃに、係合スリット２Ｅ、２Ｅおよび３Ｅ、３Ｅを有する。係合片２Ｄと係合スリット２Ｅ、および係合片３Ｄと係合スリット３Ｅとを係合させることにより、所定の径を有する短尺筒状体２、長尺筒状体３を形成する。
【手続補正１５】
【補正対象書類名】明細書
【補正対象項目名】００４８
【補正方法】変更
【補正の内容】
【００４８】
この２つの短尺筒状体２をいずれかの手順で型枠の両側面のそれぞれ所定の位置Ｓに固定したのち、つづいて、長尺筒状体３の嵌入組付け作業がある。鉄筋組体Ｔの底面に落下した長尺筒状体３を上面から両手で拾って、互いの係合辺３Ｂ、３Ｃが拡張するように内側から力をかけて拡げ、適度に拡がったならばそのまま固定された短尺筒状体２に押し込む。そして、手を離して力を緩めると弾性復元力で元の形状に戻る。
【手続補正１６】
【補正対象書類名】特許請求の範囲
【補正対象項目名】全文
【補正方法】変更
【補正の内容】
【特許請求の範囲】
【請求項１】
・複数の主筋と、これら主筋と直交に複数の副筋を配筋して鉄筋組体を形成する配筋工程と、
・前記鉄筋組体を型枠の中に設置する鉄筋組体の型枠内落し込み工程と、
・前記鉄筋組体内に貫通管を挿入する貫通管挿入工程と、
・所定の径の前記貫通管に組立て嵌合自在に連結する貫通管組立工程と、
・前記型枠内の所定の位置に前記貫通管を設置固定する貫通管設置固定工程と、
・前記型枠内にコンクリートを打設するコンクリート打設工程と、
・前記コンクリートの凝固後、前記型枠を取り外す型枠はずし工程と、
からなる工程順に施工される鉄筋コンクリート梁の貫通管の施工方法に使用されるものであって、
矩形状の弾性平板材を丸めて部分円弧状に成形して開口スリットを備えた筒状体で形成され、軸方向に所定の長さを有し、前記型枠に固定可能な一端部を有する第１筒状体と、軸方向に所定の長さを有し、前記型枠に固定可能な一端部を有する第２筒状体とをそれぞれ他端部で嵌合伸縮自在に連結したことを特徴とする鉄筋コンクリート梁の貫通管。
【請求項２】
・複数の主筋と、これら主筋と直交に複数の副筋を配筋して鉄筋組体を形成する配筋工程と、
・前記鉄筋組体を型枠の中に設置する鉄筋組体の型枠内落し込み工程と、
・前記鉄筋組体内に貫通管を挿入する貫通管挿入工程と、
・所定の径の前記貫通管に組立て嵌合自在に連結する貫通管組立工程と、
・前記型枠内の所定の位置に前記貫通管を設置固定する貫通管設置固定工程と、
・前記型枠内にコンクリートを打設するコンクリート打設工程と、
・前記コンクリートの凝固後、前記型枠を取り外す型枠はずし工程と、
からなる工程順に施工される鉄筋コンクリート梁の貫通管の施工方法に使用されるものであって、
矩形状の弾性平板材を丸めて部分円弧状に成形して開口スリットを備えた筒状体で形成され、軸方向に所定の長さを有し、前記型枠に固定可能な一端部を有する第１筒状体と、軸方向に所定の長さを有し、前記型枠に固定可能な一端部を有する第２筒状体と、さらに、軸方向に所定の長さを有する中間筒状体とからなり、この中間筒状体の両端のそれぞれと前記第１筒状体と前記第２筒状体の他端部とを嵌合自在に連結したことを特徴とする鉄筋コンクリート梁の貫通管。
【請求項３】
前記鉄筋組体内に貫通管を挿入する貫通管挿入工程において、
軸方向に所定の長さを有するそれぞれの前記筒状体は、軸方向長さが前記鉄筋組体の上面の配筋隙間より小さい場合には、前記配筋隙間からそのまま落とし入れ動作により挿入し、軸方向長さが前記配筋隙間より大きい場合には、それぞれの前記筒状体の前記開口スリットを拡開して、前記鉄筋組体の上面の前記配筋隙間から差し込み、つづいて反転し、そして落下させる動作による挿入方法を採用したことを特徴とする請求項１または請求項２に記載の鉄筋コンクリート梁の貫通管の施工方法。
【請求項４】
所定の径の前記貫通管に組立て嵌合自在に連結する貫通管組立工程において、
矩形状の弾性平板材を丸めて部分円弧状に成形して開口スリットを備えた前記筒状体は、丸めた際に形成した前記開口スリットの２つの縁辺の一辺に係止部、他辺に前記係止部に係合する係合部を備えており、前記鉄筋組体内に前記貫通管を挿入した後、前記貫通管の前記係合部を係合して所定の径の貫通管に組立て、その後、それぞれに軸方向に嵌合自在に連結する組立方法を採用したことを特徴とする請求項１または請求項２に記載の鉄筋コンクリート梁の貫通管の施工方法。
【手続補正１７】
【補正対象書類名】図面
【補正対象項目名】図７
【補正方法】変更
【補正の内容】
【図７】
2018135684.tif 000017
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
複数の主筋と、これら主筋と直交に複数の副筋を配筋して鉄筋組体を形成する配筋工程と、
前記鉄筋組体を型枠の中に設置する鉄筋組体の型枠内落し込み工程と、
前記鉄筋組体内に貫通管を挿入する貫通管挿入工程と、
所定の径の前記貫通管に組立て嵌合自在に連結する貫通管組立工程と、
前記型枠内の所定位置に前記貫通管を設置固定する貫通管設置固定工程と、
前記型枠内にコンクリートを打設するコンクリート打設工程と、
前記コンクリートの凝固後、前記型枠を取り外す型枠はずし工程と、
からなる工程順に施工される鉄筋コンクリート梁の貫通孔の施工方法であって、
矩形状の弾性平板材を丸めて部分円弧状に成形して開口スリットを備えた筒状体で形成され、軸方向に所定の長さを有し、前記型枠に固定可能な一端部を有する第１筒状体と、軸方向に所定の長さを有し、前記型枠に固定可能な一端部を有する第２筒状体とをそれぞれ他端部で嵌合伸縮自在に連結した鉄筋コンクリート梁の貫通管を用いる鉄筋コンクリート梁の貫通孔の施工方法において、
それぞれの前記筒状体の前記開口スリットを拡開して、前記鉄筋組体の上面の前記配筋隙間から差し込み、つづいて反転し、そして落下させる動作による挿入方法を採用したことを特徴とする鉄筋コンクリート梁の貫通孔の施工方法。
【請求項２】
複数の主筋と、これら主筋と直交に複数の副筋を配筋して鉄筋組体を形成する配筋工程と、
前記鉄筋組体を型枠の中に設置する鉄筋組体の型枠内落し込み工程と、
前記鉄筋組体内に貫通管を挿入する貫通管挿入工程と、
所定の径の前記貫通管に組立て嵌合自在に連結する貫通管組立工程と、
前記型枠内の所定位置に前記貫通管を設置固定する貫通管設置固定工程と、
前記型枠内にコンクリートを打設するコンクリート打設工程と、
前記コンクリートの凝固後、前記型枠を取り外す型枠はずし工程と、
からなる工程順に施工される鉄筋コンクリート梁の貫通孔の施工方法であって、
矩形状の弾性平板を丸めて部分円弧状に成形して開口スリットを備えた筒状体で形成され、軸方向に所定の長さを有し、前記型枠に固定可能な一端部を有する第１筒状体と、
軸方向に所定の長さを有し、前記型枠に固定可能な一端部を有する第２筒状体と、
さらに、軸方向に所定の長さを有する中間筒状体とからなり、この中間筒状体の両端のそぞれに前記第１筒状体と前記第２筒状体とを嵌合自在に連結した鉄筋コンクリート梁の貫通管を用いる鉄筋コンクリート梁の貫通孔の施工方法において、
それぞれの前記筒状体の前記開口スリットを拡開して、前記鉄筋組体の上面の前記配筋隙間から差し込み、つづいて反転し、そして落下させる動作による挿入方法を採用したことを特徴とする鉄筋コンクリート梁の貫通孔の施工方法。